(57)【要約】      （修正有）【課題】危険要素の発生を避けることが出来、安全性の極めて優れた快速トグルクランプの安全装置を提供する。【解決手段】快速トグルクランプの安全装置は、主として座体１を一つ含み、該座体の上に固定レバー２とドローバー４が軸支され、また該位置決め部とドローバーの間において、位置規制レバー３を介して両部材が互いに連動でき、そして該ドローバーと位置規制レバーが軸支された箇所の両側に、それぞれ一つの位置決め孔３１が設置され、更に掛止部５の両端が、ドローバーと位置規制レバーの位置決め孔の上に挿設されることにより、ドローバーを固定でき、引延・揺動の動作を行うことを不可とし、最後に該固定レバーの中間箇所に穿設された位置決め部２２を利用し、該位置決め部を介し、挟持しようとする品物を締め付けて挟持し、操作者が施工作業を行う目的に供する。【選択図】図１
0003156385.tif 000002
【実用新案登録請求の範囲】
【請求項１】
快速トグルクランプの安全装置は、主として一つの座体、一つの固定レバー、一つの位置規制レバー、一つのドローバーと一つの掛止部を含み、
該座体の上には、少なくとも一つ以上の孔が設置され、該座体は如何なる平面の上でも設置でき、且つ複数のねじを介し、孔を突き抜けて平面の上に締め付けられ、
該固定レバーの前端箇所には、孔槽が形成され、且つ孔槽の内に一つの位置決め部が穿設され、該固定レバーの後端箇所が座体の後側箇所に軸支され、
該位置規制レバーは、一端が固定レバーの上に軸支され、他端がドローバーの揺動アームと互いに軸支され、且つ位置規制レバーの軸支箇所の両側辺箇所に何れも一つの位置決め孔が開設され、
該ドローバーは、二つの揺動アームを下向きに延伸し、そして該揺動アームの前端箇所が座体の上に軸支され、且つ両揺動アームの中間箇所が位置規制レバーの他端と互いに軸支され、そして両揺動アームと位置規制レバーの両側軸支箇所に何れもフランジ部が形成され、更に両フランジ部の側辺箇所に何れも位置決め孔が開設され、且つ両揺動アームの両位置決め孔が互いに位置規制レバーの位置決め孔に対応するように設置され、
該掛止部は両端が何れも挿しピン端を一つ有し、両挿しピン端を介して何れも二つの揺動アームと位置規制レバーの位置決め孔の中に挿設されることを特徴とする、快速トグルクランプの安全装置。
【請求項２】
該両フランジは、半球状を呈することを特徴とする、請求項１に記載の快速トグルクランプの安全装置。
【請求項３】
該掛止部は、弾性部、または弾性機構により駆動される部材であることを特徴とする、請求項１に記載の快速トグルクランプの安全装置。
【考案の詳細な説明】
【技術分野】
【０００１】
本考案は、快速トグルクランプの安全装置に係り、特に掛止部の設置を介し、つまり固定状態の下で快速トグルクランプが弛緩して危険が生じることを防止できる快速トグルクランプの安全装置に関するものである。
【背景技術】
【０００２】
現在、挟持・位置決めするために用いられる快速クランプは、主として平面連結棒機構の作用原理を利用することにより、品物を快速に挟持・位置決めする目的を達することが出来、通常位置決め接続板を介し、全体のクランプに対して固定を行い、更に取っ手、挿しピン端と位置規制レバーの締付けを含み、そして通常前述の各部位が蝶番を介して各部材を接続し、そして各部材の接続箇所が完全に固定できず、依然として相当な自由度を保持し、特に快速クランプの位置決め接続板が縦方向の位置決めする時に、一部分の部材の無効な揺動が操作者の有効な仕事を妨害し、更に慣用の快速クランプが構造上相当に複雑で、コストが比較的高くなり、業者にとって、より改良する必要がある。
【０００３】
これより了解できるのは、前述の慣用の品物は、依然として沢山の欠点を有し、本当に良好な設計ではなく、そしてより改良する必要があるということである。
【０００４】
本考案の創作者は、前述の慣用の品物により生成された各欠点に鑑み、より改良して革新しようと意図し、且つ多年を経て苦心して孤独に努力して鋭意に研究した後に、ついに本考案の快速トグルクランプの安全装置を、成功的に研究して完成した。
【考案の概要】
【考案が解決しようとする課題】
【０００５】
本考案の目的は、即ち快速トグルクランプの上に掛止部を一つ設置する方式を提供し、つまり固定状態の下で快速トグルクランプが弛緩することで快速トグルクランプにより挟持・固定された品物が脱落することを防止出来、掛止部により危険要素の発生を避けることが出来、安全性の極めて優れた目的を達成する快速トグルクランプの安全装置を提供することにある。
【０００６】
本考案の副次的な目的は、構造が簡単で、操作が簡易で且つ低コストの製作である快速トグルクランプの安全装置を提供することにある。
【課題を解決するための手段】
【０００７】
前述の実用新案の目的を達成できる快速トグルクランプの安全装置は、主として一つの座体、固定レバー、ドローバー、位置規制レバー、掛止部と位置決め部などの部材を含んで構成されるが、その中でも、該座体の上に一つの固定レバーとドローバーが軸支され、また該固定レバーとドローバーの間において、一つ位置規制レバーを介して両部材が互いに連動でき、そして該ドローバーと位置規制レバーが軸支された箇所の両側に、それぞれ一つの位置決め孔が設置され、更に掛止部の両端の挿しピン端が、それぞれドローバーと位置規制レバーの両位置決め孔の上に挿設されることにより、ドローバーを固定でき、引延・揺動の動作を行うことを不可とし、最後に該固定レバーの中間箇所に穿設された位置決め部を利用し、該位置決め部を介し、挟持しようとする品物を締め付けて挟持し、操作者が施工作業を行う目的に供するが、前述の各部材の構成により、本考案の快速トグルクランプの安全装置を形成する。
【考案の効果】
【０００８】
本考案の提供する快速トグルクランプの安全装置は、他の慣用の技術と互いに比較すると、下記の利点を更に有する。
【０００９】
１．本考案は、快速トグルクランプの上に掛止部を一つ設置する方式を提供し、つまり固定状態の下で快速トグルクランプが弛緩することで快速トグルクランプにより挟持・固定された品物が脱落することを防止でき、掛止部により危険要素の発生を避けることが出来、安全性の極めて優れた目的を達成するものである。
【００１０】
２．本考案は、構造が簡単で、操作が簡易で且つ低コストの製作である快速トグルクランプを、提供するものである。
【００１１】
３．本考案は、該掛止部を設置する各種タイプの快速トグルクランプを提供する時に、位置規制機能の目的を達成できる。
【図面の簡単な説明】
【００１２】
【図１】本考案の快速トグルクランプの安全装置の斜視図である。
【図２】本考案の快速トグルクランプの安全装置の掛止部の操作の模式図である。
【図３】本考案の快速トグルクランプの安全装置の掛止部の操作の模式図である。
【図４】本考案の快速トグルクランプの安全装置の他の実施例の視図である。
【図５】本考案の快速トグルクランプの安全装置の更に他の実施例の視図である。
【図６】本考案の快速トグルクランプの安全装置の更に他の実施例の視図である。
【考案を実施するための形態】
【００１３】
図１を参照して示すように、これが本考案の快速トグルクランプの安全装置の斜視図であるが、主として一つの座体１、一つの固定レバー２、一つの位置規制レバー３、一つのドローバー４と一つの掛止部５を含む。該座体１の上に複数の孔１１が設置され、該座体１は如何なる平面の上でも設置でき、且つ複数のねじを介して孔１１を突き抜けて平面の上に締め付けられ（図示せず）、該固定レバー２の前端箇所に一つの孔槽２１が形成され、且つ孔槽２１の内に一つの位置決め部２２が穿設され、該固定レバー２の後端箇所が座体1の後側箇所に軸支される。該位置規制レバー３の一端が固定レバー２の上に軸支され、他端がドローバー４の揺動アームと互いに軸支され、且つ位置規制レバー３の軸支箇所の両側辺箇所にそれぞれ一つの位置決め孔３１（図中に片側のみで表示する）が開設される。該ドローバー４は両（又は二つ）揺動アーム４１を下向きに延伸し、そして該揺動アーム４１の前端箇所が座体１の上に軸支され、且つ両揺動アーム４１の中間箇所が位置規制レバー３の他端と互いに軸支され、そして両揺動アーム４１と位置規制レバー３の両側軸支箇所にそれぞれ半球状のフランジ部４１１が形成され、更に両フランジ部４１１の側辺箇所にそれぞれ一つの位置決め孔４１２（図中に片側のみで表示する）が開設され、そして該両揺動アーム４１の両位置決め孔４１２が互いに位置規制レバー３の位置決め孔３１に対応するように設置される。該掛止部５の両端がそれぞれ挿しピン端５１を一つ有し、該掛止部５が両挿しピン端５１を介してそれぞれ両揺動アームと位置規制レバーの位置決め孔３１、４１２の中に挿設される。前述の各部材の構成により、本考案の快速トグルクランプの安全装置を形成する。
【００１４】
その中でも、該掛止部５は、弾性部，または弾性機構により駆動される部材であってもよい。
【００１５】
その中でも、前述の位置規制レバー３とドローバー４の位置決め孔３１、４１２は、掛止部５を異なるタイプの快速トグルクランプに設置するときに、掛止部５の掛止する位置決め孔を、座体１、位置規制レバー３またはドローバー４の上に設置する。
【００１６】
図２と図３を参照して示すように、これらが該快速トグルクランプの掛止部の操作の模式図であるが、快速トグルクランプが挟持・位置決め状態にある時に、掛止部５の両端の挿しピン端５１が両揺動アーム４１の両位置決め孔４１２と位置規制レバー３の位置決め孔３１の箇所に挿設されることにより、固定レバー２とドローバー４が直角状を呈して互いに牽制し、揺動できず、更に固定レバー２の位置決め部２２を介し、挟持しようとする品物を、締め付けて挟持し、操作者が施工作業を行う目的に供する。固定レバー２とドローバー４が所定の自由度の揺動を進行しようとする際、操作者は掛止部５のみを上向きに推移する必要があり、この時に掛止部５の両側がドローバー４の両側のフランジ部４１１に当着でき、両フランジ部４１１の最頂端へ推移する時に、掛止部５の両挿しピン端５１が位置規制レバー３の両位置決め孔３１を脱離でき、つまり固定レバーの位置決め部が品物の挟持を停止でき、所定の自由度の揺動を進行できる。
【００１７】
故に、前述の方式を介し、全体の構造の簡単化以外に、操作方式も相対的に簡易になり、操作者にとって、快速な挟持および使用上の極めて優れた安全性などの数多くの効果を達成できる。
【００１８】
更に図４乃至図６を参照して示すように、これらが該快速クランプの多種類の実施例の視図であるが、各実施例の中に、更に該掛止部５を操作の需要に基づいて必要な位置箇所に設置でき、同時に位置決め孔とフランジ部の設置位置も、掛止部５の設置位置の相違に基づき、位置決め孔とフランジ部の必要な設置位置を変更し、これにより、本考案は、該掛止部を介し、各種タイプの上に応用された快速トグルクランプ６、７、８を実施でき、多元化の実施の目的を達成する。
【００１９】
前述の詳細な説明は、本考案に対して実行可能な実施例の具体的な説明であり、但し該実施例が本考案の実用新案登録請求の範囲を限定するために用いられるものではなく、例えば本考案の技術精神をまだ逸脱しない下で完成された等価な実施または変更が、何れも本考案の実用新案登録請求の範囲の中に含まれるべきである。
【００２０】
上記を総合し、本考案は、空間形態上では、確かに革新に属するだけではなく、且つ慣用の品物よりも前述の多項目の効果を増進でき、既に新規性と進歩性の法定の登録要件を十分に満たすべきで、従って法により本考案の実用新案登録請求の範囲の出願を提出する。
【符号の説明】
【００２１】
１        座体
２        固定レバー
３        位置規制レバー
４        ドローバー
５        掛止部
１１      孔
２１      孔槽
２２      位置決め部
３１      位置決め孔
４１      揺動アーム
５１      挿しピン端
４１１    フランジ部
４１２    位置決め孔
【図１】
0003156385.tif 000003
【図２】
0003156385.tif 000004
【図３】
0003156385.tif 000005
【図４】
0003156385.tif 000006
【図５】
0003156385.tif 000007
【図６】
0003156385.tif 000008